(57)【要約】【課題】インタフェースコネクタの直接接続が可能で、防振、防音、放熱及び防水性能に優れたＨＤＤを収容するＨＤＤケースを提供する。【解決手段】いずれも薄い金属製で、それらの内面に、粘着性合成樹脂マットを介して放熱板及びその周囲に吸音材が内装された上部開放の有底ボックス形状のケース本体及びその開放上部に装着される蓋と、ケース本体の前方側壁内一側端に設けられ、収容されるＨＤＤのインタフェースコネクタに嵌合する内部コネクタ及び外部接続用の外部コネクタが配置されて上面が蓋を閉めた時の蓋の上面より突出しない範囲でケース本体の前方側壁の開放上部側に露出し搭載され、オスコネクタとメスコネクタを結ぶ配線パターンが装備された中継基板と、蓋とケース本体の開放上部及びオスコネクの上部開放面との合せ面間に全周無端状に介装され、防水性能を有するシール部材とを備えた。【選択図】図１
2007323751.tif 000002
【特許請求の範囲】
【請求項１】
扁平ボックス形状の金属製のケース内にハードディスクドライブ（以下、「ＨＤＤ」という）を収容するハードディスクドライブ収納ケース（以下、「ＨＤＤケース」という）であって、
上部が開放された有底ボックス形状をなし、底部内面の中央部に粘着性合成樹脂マットを介して放熱板が内装されるとともに該放熱板の周囲を包囲するように側壁内面に吸音材が内装されたケース本体と、
内面の中央部に粘着性合成樹脂マットを介して放熱板が装着されるとともに該放熱板の周囲を包囲するように吸音材が装着され、前記ケース本体の開放上部に装着される蓋と、
前記ケース本体の前方側壁（正面）内部一側端に設けられ、収容されるＨＤＤのインタフェースコネクタに嵌合する内部コネクタがＨＤＤ側に対向配置されるとともに、外部接続用の外部コネクタが前方外部側に対向配置されて上面が前記蓋を閉めた時の蓋の外側面より突出しない範囲で前記ケース本体の前方側壁の開放上部側に露出して搭載され、前記外部コネクタと前記内部コネクタを結ぶ配線パターンが装備された中継基板と、
前記蓋とケース本体の開放上部及び前記外部コネクタの露出した上部開放面との合せ面間に亘り全周無端状に介装され、防水性能を有するシール部材とを備えたことを特徴とするＨＤＤケース。
【請求項２】
ＨＤＤケースの前方正面上端の稜線部をなす前記蓋の前端及び前記ケース本体の前方側壁の上端に、前記外部コネクタを収容可能な切り欠き部がそれぞれ設けられ、前記外部コネクタのコネクタ正面と前記ケース本体の前方側壁の外面が同一平面となるとともに、前記外部コネクタの上部開放面が前記ケース本体の前方側壁の開放上部より突出しかつ蓋を閉めた時の蓋の外側面を越えない蓋の板厚の中途にとどまるように配置されて取り付けられ、
前記シール部材は、前記蓋のケース本体の開放上部及び外部コネクタの上部開放面との合せ面に亘り全周無端状に形成され装着されていることを特徴とする請求項１記載のＨＤＤケース。
【請求項３】
前記粘着性合成樹脂マットは、高熱伝導性及びクッション性のある部材からなり、前記ケース本体の底部及び蓋と前記各放熱板との間にそれぞれ介装され、
前記各放熱板が前記ハードディスクドライブにいずれも接触していることを特徴とする請求項１又は２に記載のＨＤＤケース。
【請求項４】
前記ケース本体の外形寸法を異なるサイズのＨＤＤが収容可能な外形寸法に合せたことを特徴とする請求項１乃至３の何れか１項に記載のＨＤＤケース。
【請求項５】
前記ケース本体の側壁が重なり合う四隅の稜線部、前記ケース本体の側壁の前記外部コネクタ収納部の周囲及び前記ケース本体に外部から装着されるネジ部材に、塗布後固化して防水性能を有する液状のコーキング材あるいはシーリング材又はホットメルト接着材を塗布して隙間を完全シールしたことを特徴とする請求項１乃至４の何れか１項に記載のＨＤＤケース。
【発明の詳細な説明】
【技術分野】
【０００１】
本発明は、ハードディスクドライブ（以下、「ＨＤＤ」という）を収容して保護するための、ＨＤＤを収容するハードディスクドライブ収納ケース（以下、「ＨＤＤケース」という）の構造に関し、特に、給電及び信号コネクタの直接接続が可能で、防振・防音性、放熱性及び気密・防水性に優れるＨＤＤケースに関する。
【背景技術】
【０００２】
一般に、ＨＤＤは、高速回転する駆動部を備えているため駆動部の高速回転に伴って発生する発熱及び振動についての対策が必要である。そこで、駆動部を含むＨＤＤを収容するＨＤＤケースにおいては、駆動部の回転や振動に伴う音を外部に対して消音すなわち防音するために防音材（又は吸音材）を介して気密性を持たせることは有効な方法である。また、精密機器であるドライブ機構部の防塵対策からもＨＤＤケースの気密性が重要である。しかしながら、一般的にケースに気密性を持たせることは、放熱性の面からは空気の自然対流による放熱がなく熱がケース内にこもり充分な放熱性を確保できないことから、ＨＤＤの性能安定性等に対する懸念が生じるという問題があった。このような問題に対応した防振・防音性及び放熱性に優れたＨＤＤケースの構造を先に本発明人及び本出願人（いずれも同一人）が提案している（例えば、特許文献１）。
【０００３】
特許文献１のＨＤＤケース５０は、内側が高熱伝導性を有し振動吸収材としても知られるソルボセイン（商品名）のマット、スポンジ状の吸音材、放熱板等で内装されたアルミ合金などの金属製のケースである。
【０００４】
このようなＨＤＤケースにＨＤＤを収容する手順は次の通りである。
まず、初めに、ドライバでネジを緩めて、ケース本体に取り付けられた蓋を外す。次に、蓋の内側とＨＤＤケースの内側に、吸音材及びソルボセインのマット上に搭載された放熱板を確認した上で、ケース本体内にＨＤＤを嵌め込む。そして、ＨＤＤのコネクタに、インタフェースケーブルである給電ケーブルと信号ケーブルを装着して、ケース本体の側壁の切り欠き部から外側に引き出す。最後に、蓋を取り付ける。
【０００５】
このように、従来のＨＤＤケースと同様に特許文献１のＨＤＤケースにおいても、ＨＤＤのコネクタがＨＤＤケースの内部に位置するため、インタフェースケーブル（給電ケーブル及び信号ケーブル）が必須であり、ケーブル接続が前提となっている。したがって、バックプレーンに設けられた給電コネクタと信号コネクタに挿入され、ディスクアレイ（ＲＡＩＤ）が構成されるような場合、ケーブルを使用せず直接コネクタとコネクタ同士を繋ぐいわゆるコネクタ−コネクタ接続ができない。このような問題に対応したコネクタ・コネクタ接続ができるＨＤＤケースを最近本発明人及び本出願人（いずれも同一人）が提案している（例えば、特許文献２）。
【特許文献１】特開２００５−２８５１５４号公報
【特許文献２】実用新案登録第３１１９３６２号公報
【発明の開示】
【発明が解決しようとする課題】
【０００６】
しかしながら、特許文献１、２のＨＤＤケースにおいても、ケース本体と蓋との合せ面の間等のシールが不十分であり、防水性については考慮されておらず、例えば火災の際に放水を受けた場合に、ＨＤＤケース内部に透水してＨＤＤが損傷などの悪影響を及ぼす弱点がある。
【０００７】
本発明は、このような問題点を解決するためになされたものであり、インタフェースコネクタの直接接続が可能で、気密性を確保して振動音の吸収を図りながら、放熱性を効果的に実現できるとともに、防水性能にも優れたＨＤＤケースを提供することを目的とする。
【課題を解決するための手段】
【０００８】
上記目的を達成するため、請求項１の発明のＨＤＤケースは、扁平ボックス形状の金属製のケース内にＨＤＤを収容するＨＤＤケースであって、上部が開放された有底ボックス形状をなし、底部内面の中央部に粘着性合成樹脂マットを介して放熱板が内装されるとともに該放熱板の周囲を包囲するように側壁内面に吸音材が内装されたケース本体と、内面の中央部に粘着性合成樹脂マットを介して放熱板が装着されるとともに該放熱板の周囲を包囲するように吸音材が装着され、前記ケース本体の開放上部に装着される蓋と、前記ケース本体の前方側壁（正面）内部一側端に設けられ、収容されるＨＤＤのインタフェースコネクタに嵌合する内部コネクタがＨＤＤ側に対向配置されるとともに、外部と接続用の外部コネクタが前方外部側に対向配置されて上面が前記蓋を閉めた時の蓋の外側面より突出しない範囲で前記ケース本体の前方側壁の開放上部側に露出して搭載され、前記外部コネクタと前記内部コネクタを結ぶ配線パターンが装備された中継基板と、前記蓋とケース本体の開放上部及び前記外部コネクの露出した上部開放面との合せ面間に亘り全周無端状に介装され、防水性能を有するシール部材とを備えたことを特徴とする。
【０００９】
請求項２の発明は、請求項１記載のＨＤＤケースであって、ＨＤＤケースの前方正面上端の稜線部をなす前記蓋の前端及び前記ケース本体の前方側壁の上端に、前記外部コネクタを収容可能な切り欠き部がそれぞれ設けられ、前記外部コネクタのコネクタ正面と前記ケース本体の前方側壁の外面が同一平面となるとともに、前記外部コネクタの上部開放面が前記ケース本体の前方側壁の開放上部より突出しかつ蓋を閉めた時の蓋の外側面を越えない蓋の板厚の中途にとどまるように配置されて取り付けられ、前記シール部材は、前記蓋のケース本体の開放上部及び外部コネクタの上部開放面との合せ面に亘り全周無端状に形成され装着されていることを特徴とする。
【００１０】
請求項３の発明は、請求項１又は請求項２記載のＨＤＤケースであって、前記粘着性合成樹脂マットは、高熱伝導性及びクッション性のある部材からなり、前記ケース本体の底部及び蓋と前記各放熱板との間にそれぞれ介装され、前記各放熱板が前記ハードディスクドライブにいずれも接触していることを特徴とする。
【００１１】
請求項４の発明は、請求項１乃至３の何れか１項に記載のＨＤＤケースであって、前記ケース本体の外形寸法を異なるサイズのＨＤＤが収容可能な外形寸法に合せたことを特徴とする。
【００１２】
請求項５の発明は、請求項１乃至４の何れか１項に記載のＨＤＤケースであって、前記ケース本体の側壁が重なり合う四隅の稜線部、前記ケース本体の側壁の前記外部コネクタ収納部の周囲及び前記ケース本体に外部から装着されるネジ部材に、塗布後固化して防水性能を有する液状のコーキング材あるいはシーリング材又はホットメルト接着材を塗布して隙間を完全シールしたことを特徴とする。
【発明の効果】
【００１３】
請求項１の発明によれば、ケース本体及び蓋の内面に内装された吸音材、粘着性合成樹脂マット及び放熱板によって振動音が吸収及び遮蔽されて、ケース外部への振動音の漏出が大幅に低減されるとともに、熱伝導性の良い素材で前記蓋及びケース本体の内面に内装された粘着性合成樹脂マットを介して放熱板等を構成することができることからＨＤＤの放熱効果が良好に保持されるという効果がある。
【００１４】
また、蓋とケース本体側との合せ面間の全周に亘り無端状に介装された防水性能を有するシール部材により、例えば火災の際に放水を受けた場合にも、ケース本体内部への透水によるＨＤＤの損傷などを防止できるという効果がある。
【００１５】
さらに、ケース本体の内部一側端に設けられた中継基板には、外部接続用のインタフェースコネクタとしての外部コネクタが設けられているため、コントローラ装置とのコネクタ・コネクタ接続ができる。また、中継基板の外部コネクタの周囲には隙間がないようにできるので遮音性及び防水性が保持される。さらに、コントローラ装置とのケーブル接続、あるいはコネクタ・コネクタ接続のいずれにも対応できる等々の効果がある。
【００１６】
請求項２の発明によれば、請求項１の発明と同様な効果を有するのに加えて、ケース本体の前方側壁及び蓋にそれぞれ切り欠き部が設けられ、ここに外部コネクタの上部開放面が前記ケース本体の前方側壁の開放上部より突出して取り付けられるので、外部コネクタをＨＤＤケースの斜め後方からでも確認でき、接続先のコネクタとの嵌合が容易である。また、蓋の切り欠き部によって外部コネクタのエッジピンが外から見えるので、外部コネクタに接続する場合、ケーブル側の内部コネクタの向きが反対で、挿入がブロックされる事態を避けることができるとともに、エッジピンの掃除もし易い等の効果がある。
【００１７】
さらに、蓋のケース本体の開放上部及び外部コネクタの上部開放面との合せ面に亘る全周に防水性能を有する無端状のシール部材を装着したことにより、ケース本体内部に対する防水性能が一層向上するとともに、シール部材の配置及び脱落に気をとられることなくケース本体に対する蓋の取付け又は取外しが容易化するという効果がある。
【００１８】
請求項３の発明によれば、請求項１又は請求項２の発明と同様な効果を有するのに加えて、ＨＤＤからこれに接触している放熱板及び粘着性合成樹脂マットを介してケース本体の底部及び蓋への熱伝達経路が形成されるので、ケース内部に収容されたＨＤＤはその全ての面から放熱できることから放熱効果が一層向上する。
【００１９】
請求項４の発明によれば、請求項１乃至３の何れか１項の発明と同様な効果を有するのに加えて、ケース本体の外形寸法が異なるサイズのＨＤＤが収容可能な外形寸法となっているので、２．５インチ、３．５インチを収納したＨＤＤケースを個別にＨＤＤ取りはずしが可能なトレイを収納する複数ＨＤＤ格納装置に取り付けることが可能になり、利便性が向上する。そして、そのトレイに替え、防音性能、放熱性能及び防水性能に優れたトレイとすることが可能になる等の効果がある。
【００２０】
請求項５の発明によれば、請求項１乃至４の何れか１項の発明と同様な効果を有するのに加えて、ケース本体の四隅の側壁稜線部、ケース本体の側壁の外部コネクタ収納部の周囲及び前記ケース本体に外部から装着されるネジ部材に防水性能を有する液状のコーキング材又はシーリング材を塗布して隙間を完全シールがなされるので、ＨＤＤケースの完全な防水性能が実現できるという効果がある。
【発明を実施するための最良の形態】
【００２１】
以下、本発明を図示する実施例により具体的に説明する。
【実施例１】
【００２２】
図１は本発明の実施例１のＨＤＤケースの蓋を取り外した状態の斜視図、図２は図１の中継基板の正面図、図３は実施例１のＨＤＤケースの正面図、図４は図１の支持金具の斜視図、図５は図１のシール部材の蓋への装着面側から見た平面図である。
【００２３】
実施例１のＨＤＤケース１００は、いずれも軽量で高熱伝導性のあるＡｌ合金系又は銅合金系などの例えば厚さｔが２ｍｍ前後の薄板金属製の蓋５１及び上部が開放された有底のケース本体５２からなる扁平ボックス形状をなしている。
【００２４】
この実施例のケース本体５２は、例えば、底部に対して前後左右４つの側壁５２ａ、５２ｂ、５２ｃ、５２ｃが切り起こされてボックス形状に形成されるとともに、さらに左右側壁５２ｃの上部の蓋５１がネジ着される取り付け面となるフランジ部５２ｄが、それぞれ適宜幅を有して内側に水平に屈曲され、前方及び左右の３つの側壁５２ａ、５２ｃ、５２ｃの上端面及びフランジ部５２ｄの上面が面一の蓋取り付け面となるように形成されている。一方、後方側壁（背面）５２ｂの上端面は、蓋５１を閉めた時の蓋５１の外側面（上面）と略同一平面となるように前記他の側壁５２ａ、５２ｃ、５２ｃ及びフランジ部５２ｄの上面より上方に突出しており、この突出部が蓋５１を閉める時の蓋５１後端の位置決めガイドの機能を備えている。
【００２５】
したがって、蓋５１は、ケース本体５２の後方側壁５２ｂの板厚ｔを除いた前後方向の長さＬを有している。蓋５１の左右端には、それぞれ３個の皿ネジ用のネジ孔が設けられ、ケース本体５２のそれぞれ対応する３個のタップ孔が設けられた左右フランジ部５２ｄ上面にネジ着される。
【００２６】
ケース本体５２の内部の底面には、中央部に点線で示す高熱伝導性及びクッション性のある素材例えば商品名「ソルボセイン」などからなる長方形板状の粘着性合成樹脂マット５ｂが貼られ、その上に粘着性合成樹脂マット５ｂより若干大きめで収容されるＨＤＤの大きさに対応した長方形板状の放熱板５４ｂが載置されている。粘着性合成樹脂マット５ｂは粘着性があるので、その上に放熱板５４ｂを載せただけでその位置に保持することができる。さらに、内部の放熱板５４ｂの周囲を包囲するように側壁５２ａ、５２ｂ、５２ｃ内面に沿ってスポンジ状の軟質合成樹脂又は天然ゴムなどからなる吸音材５３ｂが配置され装着されている。
【００２７】
この側壁５２ａ、５２ｂ、５２ｃ内面に沿って装着された吸音材５３ｂの上面は、前方、左右の３つの側壁５２ａ、５２ｃ、５２ｃ及びフランジ部５２ｄの上面と少なくとも面一かそれより若干上方に突出して蓋取り付け面となるように形成されている。吸音材５３ｂの上面を側壁５２ａ、５２ｃ、５２ｃ及びフランジ部５２ｄの上面より若干上方に突出させることにより、蓋５１を閉めた時に吸音材５３ｂが圧縮されて蓋５１内面に密着するため蓋５１との合せ面の気密性が向上する。
【００２８】
同様に、蓋５１の裏面（内面）にも、中央部にソルボセインなどからなる長方形板状の粘着性合成樹脂マット５ａを介して粘着性合成樹脂マット５ｂより若干大きめで収容されるＨＤＤの大きさに対応した長方形板状の放熱板５４ａが装着され、その周囲にケース本体５２の開放上部側との合せ面部を除いてスポンジ状の軟質合成樹脂又は天然ゴムなどからなる吸音材５３ａが貼り付けられている。さらに、蓋５１裏面（内面）のケース本体５２の開放上部（側壁５２ａ、５２ｃ、５２ｃの上端面及びフランジ部５２ｄの上面と吸音材５３ｂの上端面を含む）との合せ面部には、全周に亘り無端状に形成された防水性能を有するシール部材５７が貼り付けられている。この蓋５１及びシール部材５７の形状等については後述する。
【００２９】
粘着性合成樹脂マット５ａ、５ｂは、前記対応する各放熱板５４ａ、５４ｂの形状より若干小さめの形状（長方形板状）としている。これにより、放熱板５４ａ、５４ｂの周囲にそれぞれ吸音材５３ａ、５３ｂを整然と配置することが容易になる。
【００３０】
ケース本体５２内底部の放熱板５４ｂ上の左右側には、図１及び４に示すように、Ｌ型断面形状の支持金具６が図示しないネジにより取り付けられている。この左右の支持金具６は、左右方向の幅を収容されるＨＤＤの幅に合せて調整できるように長孔６ａがそれぞれ例えば２箇所ずつ穿設されている。前記吸音材５３ｂは、ケース本体５２の左右側壁５２ｃ内面と支持金具６との間に挟装された状態でその位置が保持されている。
【００３１】
、蓋５１、ケース本体５２、放熱板５４ａ、５４ｂ及び支持金具６は、いずれも例えば軽量で高熱伝導性のアルミニウム合金製の構造としている。このため、収容されるＨＤＤが放熱板５４ａ、５４ｂ、支持金具６及び蓋５１に接触して放熱することができるので、良好な熱伝導性能が得られる。また、蓋５１及びケース本体５２の外面が黒色アルマイト処理されており、さらに放熱性を高めるのに有効である。
【００３２】
このような構成では、蓋５１及びケース本体５２の内面にそれぞれ内装された吸音材５３ａ、５３ｂ、粘着性合成樹脂マット５ａ、５ｂ及び放熱板５４ａ、５４ｂによって振動音が吸収及び遮蔽されて、ＨＤＤケース１００外部への振動音の漏出が大幅に低減されるとともに、高熱伝導性のアルミニウム合金製で蓋５１、ケース本体５２及び支持金具６が構成されるのに加えて、熱伝導性の良い素材からなる粘着性合成樹脂マット５ａ、５ｂと面接触している放熱板５４ａ、５４ｂが収容されるＨＤＤの上下表面に面接触する構成となっていることにより、ＨＤＤ全面からの放熱効果が一層良好に保持される。
【００３３】
ケース本体５２の正面内側の前方側壁５２ａ近傍には、中継基板１が設けられている。中継基板１は、前方側壁５２ａに設けられた例えば２箇所のネジ孔１０から、皿ネジでスペーサ４を固定し、このスペーサ４の他端側にネジで取り付けられている。中継基板１の一側面（ケース本体５２内のＨＤＤ収容側）には、収容されるＨＤＤのインタフェースコネクタに嵌合するメスコネクタ３（内部コネクタ）がＨＤＤ側に対向配置され設けられている。中継基板１の他側面（前方側壁５２ａ側）には、外部との接続用のオスコネクタ２（外部コネクタ）が前方外部側に対向配置され設けられている。中継基板１上に装備された図示しない配線パターンにより、メスコネクタ３とオスコネクタ２のピンが連結されている。
【００３４】
一般に、２．５インチや３．５インチのＨＤＤは箱型で、箱の上側はディスクドライブを格納したアルミケースの平坦な面で、箱の下側面に制御基板がカバーなしで取り付けられる。また、制御基板の端にインタフェースコネクタが設けられている。このようなＨＤＤをＨＤＤケース１００に収容する場合、ＨＤＤの平坦な上面が、ＨＤＤケース１００の底部の放熱板５４に接触するように逆向きにして収容される。このため、中継基板１のメスコネクタ３の位置は高さ方向中間部やや上寄りとなる。なお、ＨＤＤの制御基板と蓋５１の放熱板５４ａの間は、密着せず隙間がある。
【００３５】
ＨＤＤのインタフェースには、ＡＴＡ仕様やＳＣＳＩ仕様がある。最近では、８ビット又は１６ビットのパラレル転送方式から、１ビットのデータ転送線を使用するシリアル転送方式が普及しつつある。シリアル転送方式は、１．９Ｇｐｐｓ（約１９０ＭＢ／ｓ）と高速である。それぞれ、シリアルＡＴＡ（以下、「ＳＡＴＡ」という）やシリアルＳＣＳＩ（以下、「ＳＡＳ」という）と呼ばれる。ＳＡＴＡとＳＡＳでは、ＨＤＤに使用されるインタフェースコネクタの形状が同じである。
【００３６】
中継基板１のオスコネクタ２は、ＳＴＡ又はＳＡＳに使用されるインタフェースコネクタと同じものである。オスコネクタ２は、図１の引出円Ｃ１にオスコネクタの拡大正面図に示すように、右から左に向けて、第１ポート１１、第２ポート１２、第３ポート１３が設けられている。各ポートはミニ基板上にあって、第１ポート１１が７ピン、第２ポート１２が７ピン、第３ポート１３が１５ピンのエッジピンが、それぞれ表側、裏側、表側に設けられている。なお、第２ポート１２は、上側に突出したキー部が設けられ、メスコネクタを第１ポート１１と第３ポート１３とが逆になるように挿入できないようになっている。
【００３７】
例えば、ＳＡＴＡでは、第１ポート１１の信号線をｓ１〜ｓ７とすると、その構成は、ｓ１、ｓ４、ｓ７がグランド線、ｓ２、ｓ３がディスクへの入力線（Ａ＋、Ａ−に対応）、ｓ５、ｓ６がディスクからの出力線（Ｂ−、Ｂ＋に対応）となっている。また、第３ポートの給電線をｐ１〜ｐ１５とすると、その構成は、ｐ４、ｐ１２、ｐ５、ｐ６、ｐ１０がグランド線、ｐ３が３．３Ｖのプリチャージ電源線、ｐ１、ｐ２が３．３Ｖ電源線、ｐ７が５Ｖのプリチャージ電源線、ｐ８、ｐ９が５Ｖ電源線、ｐ１３が１２Ｖのプリチャージ電源線、ｐ１４、ｐ１５が１２Ｖ電源線、ｐ１１が予備線である。従来のパラレルインタフェースでは、電源ケーブル用コネクタと信号ケーブル用コネクタは異なるコネクタであったが、ここでは１つのインタフェースコネクタに統合されている。なお、第２ポート１２は個別の信号線が定義される。
【００３８】
中継基板１の高さ方向中間部付近にメスコネクタ３の第１ポート１１と第３ポート１３に対応する位置が、さらにその上には、オスコネクタ２の第１ポート１１と第３ポート１３のエッジピンに対応する位置が共に図２に破線で示されている。
【００３９】
オスコネクタ２の取り付け位置は、図１及び３に示すように、コネクタ正面２ａがケース本体５２の前方側壁５２ａの外側面と同一の平面となるとともに、オスコネクタ２の上部開放面２ｂが、ケース本体５２の前方側壁５２ａの開放上部より若干突出しかつ蓋５１を閉めた時の蓋５１の外側面（上面）より蓋５１の板厚の中途にとどまるように配置され取り付けられている。
【００４０】
このため、ＨＤＤケース１００正面（前方）側の上部稜線部をなす蓋５１の前端とケース本体５２の前方側壁５２ａの上端にオスコネクタ２を収容可能な切り欠き部７、８がそれぞれ設けられている。また、蓋５１の切り欠き部７に連接しオスコネクタ２の上部開放面２ｂの後半部に重なるオスコネクタ合せ面部５１ｂが蓋５１の板厚の中途例えば略半分程度に切削され窪み状に形成されている。したがって、オスコネクタ２の上部開放面２ｂの前半部がエッジピン９共上方側外部に露出されており、オスコネクタ２の位置が後方斜め上から確認できるため外部接続先のメスコネクタとの嵌合が容易であるとともに、エッジピン９の掃除もし易くなっている。
【００４１】
このように、切り欠き部７に連設するオスコネクタ合せ面部５１ｂを備えた蓋５１は、ケース本体５２の側壁５２ａ、５２ｃ、５２ｃの上端面、フランジ部５２ｄの上面及び吸音材５３ｂの上面を含む開放上部との合せ面であるケース本体合せ面部５１ａ及びオスコネクタの上部開放面２ｂとの合せ面であるオスコネクタ合せ面部５１ｂの全周に亘り防水性能を有するシール部材５７を無端状に形成して装着することが可能となり、これにより、万一火災時に放水を浴びるなどした場合にもＨＤＤケース内に水分が浸入しないような防水性を確保することができる。
【００４２】
シール部材５７は、ゴムやプラスチック系などの適宜な弾力性、柔軟性及び防水性能を有する例えば厚さ１ｍｍ前後の薄板状シール性部材からなり、図１及び５に示すように、ケース本体５２の側壁５２ａ、５２ｃ、５２ｃの上端面、フランジ部５２ｄの上面及び吸音材５３ｂの上面を含む開放上部ならびにオスコネクタの上部開放面２ｂとの合せ面に対応するように内部が長方形に例えば打ち抜かれるなど取り除かれ、外形が蓋５１とほぼ同じ略長方形の枠状に形成され、蓋５１の裏面（内面）に貼り付けられている。
【００４３】
このシール部材５７は、ケース本体５２の側壁５２ａ、５２ｃ、５２ｃの上端面、フランジ部５２ｄの上面及び吸音材５３ｂの上面を含む開放上部との合せ面に対応するケース本体シール部５７ａの前端にオスコネクタ２の上部開放面２ｂとの合せ面に対応するオスコネクタシール部５７ｂが設けられている。したがって、ケース本体シール部５７ａは蓋５１のケース本体合せ面部５１ａ上に、オスコネクタシール部５７ｂは蓋５１のオスコネクタ合せ面部５１ｂ上にそれぞれ貼り付けられ、全体として一体の無端状の枠状に形成されたシール部材５７となる。
【００４４】
オスコネクタ合せ面部５１ｂはケース本体合せ面部５１ａに対して蓋５１の板厚の中途例えば略半分程度に切削され窪み形状に形成されているため、図１及び５に示すように、オスコネクタ合せ面部５１ｂ上に貼り付けられたオスコネクタシール部５７ｂはケース本体シール部５７ａに対して外側に窪んだ状態に変形されている。このオスコネクタシール部５７ｂとケース本体シール部５７ａとの境界線部は、シール部材５７の弾力性及び柔軟性により窪み変形することが可能であるが、前記境界線部に浅い切込みを入れることによりオスコネクタシール部５７ｂの窪み変形を容易にするとともに、シール部材５７の弾力性及び柔軟性により浅い切込み部も十分相互に密着シールされて防水性能を確保することもできる。
【００４５】
このように、蓋５１のケース本体５２の開放上部及びオスコネクタ２の上部開放面２ａとの合せ面に亘る全周に防水性能を有する無端状のシール部材５７を装着したことにより、ＨＤＤケース１００内部に対する良好な防水性能を確保することができる。
【００４６】
図３に示すように、前方側壁５２ａに設けられた切り欠き部８の深さｄと蓋５１のケース本体合せ面部５１ａの厚さｔとシール部材５７のケース本体シール部５７ａの取り付け厚さｔ２とを加えたものと、オスコネクタ２の高さｈとオスコネクタ合せ面部５１ｂの板厚ｔ１とオスコネクタシール部５７ｂの取り付け厚さｔ２とを加えたものとが等しい。したがって、オスコネクタ２の高さｈ、ケース本体合せ面部５１ａの厚さｔ及びオスコネクタ合せ面部５１ｂの板厚ｔ１が与えられると、切り欠き部８の深さｄを設定することができる。これにより、前記したように、オスコネクタ２を切り欠き部８に配置した時、オスコネクタ２の上部開放面２ｂがケース本体５２の前方側壁５２ａの開放上部より若干突出しかつ蓋５１を閉めた時の蓋５１の外側面（上面）より蓋５１の板厚の中途にとどまるように取り付けることができる。
【００４７】
シール部材５７として、ゴムやプラスチック系などの上記薄板状の定型シール部材に代えて円形又は多角形断面形のリング状の定型シール部材（この場合、加工の手間が増えるが、これに対応したシール溝を蓋５１の上記合せ面部５１ａ及び５１ｂ上に穿設することが望ましい）、あるいはホットメルト接着剤などを用いた種々のシール部材を適用することもできる。
【００４８】
また、シール部材５７は、ホットメルト接着剤や感圧接着剤などを含む各種接着剤や両面接着テープなどを用いて蓋５１の上記合せ面部５１ａ及び５１ｂ上に装着することができる。
【００４９】
また、蓋５１に無端状のシール部材５７を装着することに加えて、ケース本体５２の側壁５２ａ、５２ｂ、５２ｃ、５２ｃが重なり合う四隅の稜線部、前方側壁５２ａのオスコネクタ２収納部切り欠き部８の周囲及びケース本体５２の外面に設けられたネジ孔部あるいは該ネジ孔に螺着されるネジ部材に、塗布後固化して防水性能を有する液状のコーキング材あるいはシーリング材又はホットメルト接着剤等を塗布して隙間を完全シールすることもできる。これにより、前記ＨＤＤケース１００の完全な防水性能が実現できる。
【００５０】
また、３．５インチのＨＤＤは、幅が１０１．６ｍｍ、高さが２５．４ｍｍ、奥行きが１４６ｍｍなどとなっている。２．５インチのＨＤＤは、幅が７０ｍｍ、高さが９．５ｍｍ、奥行きが１００ｍｍなどとなっている。ＨＤＤケース１００を、この２種類のＨＤＤに合せて共通的に収容可能な外形寸法に構成することができる。すなわち、２．５インチのＨＤＤを収容するＨＤＤケース１００の外形寸法を、３．５インチのＨＤＤの外形寸法に合せることができる。これにより、パソコンの３．５インチベイに、上述したような防振、防音、放熱及び防水対策を施した２．５インチのＨＤＤを装着するような場合にも好都合である。
【００５１】
さらに、ケース本体の外形寸法を２．５インチや３．５インチに限らず５インチサイズなどの各種異なるサイズのＨＤＤが収容可能な外形寸法に合わせることもできる。これにより、２．５インチ、３．５インチを収納したＨＤＤケースを個別にＨＤＤ取り外しが可能なトレイを収納する複数ＨＤＤ格納装置に取り付けることが可能になり、利便性が向上する。そして、そのトレイに替え、防音性能、放熱性能及び防水性能に優れたトレイとすることが可能になる。
【実施例２】
【００５２】
図６は、本発明の実施例２のケース本体の底面側から見たケース基体の斜視図（前方及び後方側壁は図示しない）である。ここで分かり易くするため、実施例２においても、実施例１に対して部分的に形状が異なっていても同一の機能を有する部材には同一の符号を付して対応させてある。
【００５３】
実施例２においては、ケース本体５２が、その底部５２ｅ及び左右側壁５２ｃ、５２ｃの外面に複数の放熱フィン５２ｆが形成されたケース基体５２ｇと、その前後両端にネジ着される図示しない前方側壁と後方側壁とから構成されている。
【００５４】
放熱フィン５２ｆは、底部５２ｅ及び左右側壁５２ｃ、５２ｃの外面に、長辺方向と平行に溝を複数設けて形成されている。この実施例では、底部５２ｅ及び左右側壁５２ｃ、５２ｃの外面の長辺方向に溝が設けられているが、底部５２ｅの外面のみ、左右側壁５２ｃ、５２ｃの外面のみという形態も可能であり、あるいは短辺方向に溝を設けてもよく、さらに長辺方向及び短辺方向の両方に溝を設けて格子状の放熱フィンとすることも可能である。また、図示しない前方側壁、後方側壁及び蓋の外面にも上記と同様な放熱フィンを形成することもできる。
【００５５】
その他の構成は、前記実施例１と全く同様である。したがって、実施例２においては、前記実施例１と同様な優れた利点を有するのに加えて、ケース本体及び又は蓋の外面に溝を設けた放熱フィンを付加することにより、ＨＤＤの放熱効果が一層向上する。この実施例においても、ケース本体及び蓋の外面が黒色アルマイト処理されており、さらに放熱性を高めるのに有効となっている。
【００５６】
なお、本発明のＨＤＤケースは、図１〜６等に示した実施例以外にも例えばケース本体や蓋その他の形状あるいは部材の材質等を任意に変更した構成とすることができる。例えば、放熱フィンも断面形状が矩形の凹凸形状に変えて任意の突起形状の構成とすることもできる。
【図面の簡単な説明】
【００５７】
【図１】本発明の実施例１のハードディスクドライブ収納ケースの蓋を取り外した状態の斜視図である。
【図２】図１の中継基板の正面図である。
【図３】実施例１（図１）のハードディスクドライブ収納ケースの正面図である。
【図４】図１の支持金具の斜視図である。
【図５】図１のシール部材の蓋への装着面側から見た平面図である。
【図６】本発明の実施例２のケース本体の底面側から見たケース基体の斜視図（前方及び後方側壁は図示しない）である。
【符号の説明】
【００５８】
１    中継基板
２    オスコネクタ
３    メスコネクタ
４    スペーサ
５ａ、５ｂ  粘着性合成樹脂マット
６    支持金具
６ａ  長孔
７    蓋の切り欠き部
８    前方側壁の切り欠き部
９    エッジピン
１０    ネジ孔
１１    第１ポート
１２    第２ポート
１３    第３ポート
５０    収容ケース
５１    蓋
５１ａ  ケース本体合せ面部
５１ｂ  オスコネクタ合せ面部
５２    ケース本体
５２ａ  前方側壁
５２ｂ  後方側壁（背面）
５２ｃ  左右側壁
５２ｄ  フランジ部
５２ｅ  底部
５２ｆ  放熱フィン
５２ｇ  ケース基体
５３ａ、５３ｂ  吸音材
５４ａ、５４ｂ  放熱板
５５    給電ケーブル
５６    信号ケーブル
５７    シール部材
５７ａ  ケース本体シール部
５７ｂ  オスコネクタシール部
６０    ハードディスクドライブ（ＨＤＤ）
１００  ハードディスクドライブ収容ケース（ＨＤＤケース）
ｄ      前方側壁の切り欠き部の深さ
ｈ      オスコネクタの高さ
ｔ      （蓋及びケース本体側壁の）板厚（厚さ）
ｔ１    オスコネクタ合せ面部の板厚
ｔ２    シール部材の取り付け厚さ
ｓ１〜ｓ７    第１ポートの信号線
ｐ１〜ｐ１５  第３ポートの給電線
【図１】
2007323751.tif 000003
【図２】
2007323751.tif 000004
【図３】
2007323751.tif 000005
【図４】
2007323751.tif 000006
【図５】
2007323751.tif 000007
【図６】
2007323751.tif 000008